(57)【特許請求の範囲】
【請求項１】
光源からの光を光学系に導いて、３原色の光に分離し、これら３原色の光をカラー映像光に合成して、投射レンズから前方へ投射するプロジェクター装置において、前記光学系に沿って冷却ユニットが配備され、該冷却ユニットは、外気を取り入れるためのＮ個の吸気窓と、該吸気窓から外気を取り入れてそれぞれ吐出するＮ個の冷却ファンと、前記光学系のＭ箇所に発生する高温部に向けて開口するＭ個の空気吹出し口と、前記Ｎ個の冷却ファンから吐出される空気を前記Ｍ個の空気吹出し口へ導くための流路網とを具えるプロジェクター装置において、
前記流路網は、前記Ｎ個の冷却ファンから吐出する空気をＬ個の流路に分流すると共にこのＬ個の流路を合流して前記Ｍ個の空気吹出し口にそれぞれ繋がるＭ個の流路を形成する仕切り壁を備え、前記仕切り壁は前記Ｍ個空気吹出し口から吹き出すべき気流の風量を高温部の温度に応じて配分することを特徴とするプロジェクター装置。（ただし、Ｎ、Ｍ及びＬは２以上の整数）
【請求項２】
冷却ユニットの各空気吹出し口には、吹き出すべき気流の風向を光学系の高温部の中心位置へ向けて案内するための気流案内壁が設けられている請求項１に記載のプロジェクター装置。
【請求項３】
光学系は、光源からの光が入射すべき偏光ビームスプリッターと、この偏光ビームスプリッターを通過した光を３原色の光に分離する複数の分離ミラーと、該分離ミラーによって分離された３原色の光がそれぞれ通過すべき３原色用の３枚の液晶パネルと、この３枚の液晶パネルからの３原色の映像光をカラー映像光に合成する色合成プリズムと、この色合成プリズムからのカラー映像光を拡大投射する投射レンズとを具え、前記冷却ユニットには、前記複数の空気吹出し口として、前記偏光ビームスプリッターへ向けて空気を吹き出す１つの空気吹出し口と、３枚の液晶パネルへ向けて空気を吹き出す３つの空気吹出し口とが開設されている請求項１乃至請求項２の何れかに記載のプロジェクター装置。
【請求項４】
流路網は、青用の液晶パネルへ向けて吹き出すべき気流の風量を最も大きく設定する様に調整されている請求項３に記載のプロジェクター装置。
【発明の詳細な説明】
【０００１】
【発明の属する技術分野】
本発明は、光源からの光を光学系に導いてカラー映像光を生成し、前方のスクリーンへ拡大投射するプロジェクター装置に関するものである。
【０００２】
【従来の技術】
この種のプロジェクター装置は、ケーシングの内部に、光源となるランプと、偏光ビームスプリッター、偏光板、液晶パネル、投射レンズ等から構成される光学系とを配備して構成されるが、光学系を構成する偏光ビームスプリッターや液晶パネル等から発熱が生じるため、ケーシングの内部に冷却ファンを設置して、ケーシング内部の空気を流動させることによって、光学系全体を冷却することが行なわれている。
【０００３】
【発明が解決しようとする課題】
しかしながら、高輝度の映像を投射することが可能なプロジェクター装置においては、光学系からの発熱量が大きくなるため、冷却ファンを高速で回転させて、冷却風量を増大させる必要があり、この結果、冷却ファンから発生する騒音が増大する問題があった。
そこで本発明の目的は、光学系を少ない風量で十分に冷却することが出来るプロジェクター装置を提供して、冷却ファンからの騒音を低減させることである。
【０００４】
【課題を解決する為の手段】
本発明に係るプロジェクター装置においては、光学系に沿って冷却ユニット(６)が配備され、該冷却ユニット(６)は、外気を取り入れるための１或いは複数の吸気窓と、該吸気窓から外気を取り入れて吐出する１或いは複数の冷却ファンと、前記光学系の複数箇所に発生する高温部に向けて開口する複数の空気吹出し口と、前記冷却ファンから吐出される空気を前記複数の空気吹出し口へ導くための流路網(８)とを具え、流路網(８)には、各空気吹出し口から光学系の高温部へ向けて吹き出すべき気流の風量を高温部の温度に応じて配分する複数の流路が設けられている。
【０００５】
上記本発明のプロジェクター装置においては、光学系の複数箇所に発生する高温部に向けて複数の空気吹出し口が開設されると共に、１或いは複数の冷却ファンの吐出口から各空気吹出し口へ至る複数の流路からなる流路網(８)が形成されているので、冷却ファンの運転によって、吸気窓から取り入れられた外気が各空気吹出し口から直接に光学系の高温部へ吹き付けられ、光学系の高温部が集中的に冷却される。然も、流路網(８)の複数の流路は、各空気吹出し口から光学系の高温部へ吹き出すべき気流の風量を高温部の温度に応じて配分する様、流路断面積などが調整されているので、複数の高温部は略均等な温度に冷却される。
従って、単にケーシング内の空気を流動させることによって光学系全体を冷却していた従来に比べて、より少ない風量で十分な冷却を行なうことが出来る。
【０００６】
具体的構成において、冷却ユニット(６)の各空気吹出し口には、吹き出すべき気流の風向を光学系の高温部の中心位置へ向けて案内するための気流案内壁が設けられている。
これによって、光学系の高温部がより効率的に冷却される。
【０００７】
又、具体的構成において、冷却ユニット(６)は、ハウジング(60)内に、前記１或いは複数の冷却ファンを設置すると共に、前記流路網(８)を形成するための仕切り壁を設置して構成され、ハウジング(60)の光学系との対向面に、前記複数の空気吹出し口が開設されている。
該具体的構成によれば、ハウジング(60)の内部を流れる低温の空気とハウジング(60)の外部に存在する高温の空気とが、ハウジング(60)の壁面によって遮断され、互いに混合されることはないので、低温の空気によって光学系の高温部を十分に冷却することが出来る。
【０００８】
更に具体的な構成において、光学系は、光源からの光が入射すべき偏光ビームスプリッター(24)と、偏光ビームスプリッター(24)を通過した光を３原色の光に分離する複数の分離ミラーと、該分離ミラーによって分離された３原色の光がそれぞれ通過すべき３原色用の３枚の液晶パネル(32)(35)(38)と、３枚の液晶パネルからの３原色の映像光をカラー映像光に合成する色合成プリズム(30)と、色合成プリズム(30)からのカラー映像光を拡大投射する投射レンズ(20)とを具え、冷却ユニット(６)には、前記複数の空気吹出し口として、偏光ビームスプリッター(24)へ空気を吹き出す１つの空気吹出し口(69)と、３枚の液晶パネル(32)(35)(38)へそれぞれ空気を吹き出す３つの空気吹出し口(63)(64)(65)とが開設されている。
該具体的構成によれば、光学系に生じる４つの高温部、即ち、偏光ビームスプリッター(24)と３枚の液晶パネル(32)(35)(38)とが、４つの空気吹出し口(69)(63)(64)(65)から吹き出される空気によって集中的に冷却される。
【０００９】
ここで、青用の液晶パネル(32)が最も高温となるため、流路網(８)は、青用の液晶パネル(32)へ吹き出すべき気流の風量を最も大きく設定する様に調整されている。
これによって、４つの高温部が略均等の温度に冷却される。
【００１０】
【発明の効果】
本発明に係るプロジェクター装置によれば、光学系を少ない風量で十分に冷却することが出来るので、冷却ファンからの騒音を低減させることが可能である。
【００１１】
【発明の実施の形態】
以下、本発明を液晶プロジェクターに実施した形態につき、図面に沿って具体的に説明する。
全体構成
本発明に係る液晶プロジェクターは、図１に示す如く下半ケース(11)及び上半ケース(12)からなる扁平なケーシング(１)を具え、該ケーシング(１)の前面パネル(13)には、投射窓(14)が開設されると共に、内蔵せるランプユニットから排出される温風の排気孔(15)が開設されている。
ケーシング(１)の内部には、図３〜図５に示す如く、カラー映像光を生成するための光学ユニット(２)と、光学ユニット(２)の光源となるランプユニット(４)と、光学ユニット(２)を冷却するための冷却ユニット(６)とが配備される。
【００１２】
光学ユニット(２)
光学ユニット(２)は、図２に示す如く、ランプユニット(４)からの白色光を、第１インテグレータ(21)、第１ミラー(22)、第２インテグレータ(23)及び偏光ビームスプリッター(24)を経て、青用二色分離ミラー(25)に導き、これによって青色光を分離する。又、青用二色分離ミラー(25)を通過した光を緑用二色分離ミラー(27)に導き、これによって緑色光を分離する。
青用二色分離ミラー(25)によって分離された青色光は、第２ミラー(26)を経て色合成装置(３)に入射する。又、緑用二色分離ミラー(27)によって分離された緑色光は色合成装置(３)に入射し、赤色光は第３ミラー(28)を経て色合成装置(３)に入射する。
【００１３】
色合成装置(３)に入射した青色光は、色合成装置(３)の青用入射側偏光板(31)、青用液晶パネル(32)、及び青用出射側偏光板(33)を経て、色合成プリズム(30)に導かれる。又、色合成装置(３)に入射した緑色光は、色合成装置(３)の緑用入射側偏光板(34)、緑用液晶パネル(35)、及び緑用出射側偏光板(36)を経て、色合成プリズム(30)に導かれる。更に、色合成装置(３)に入射した赤色光は、色合成装置(３)の赤用入射側偏光板(37)、赤用液晶パネル(38)、及び赤用出射側偏光板(39)を経て、色合成プリズム(30)に導かれる。
色合成プリズム(30)に導かれた３色の映像光は、色合成プリズム(30)により合成され、これによって得られるカラー映像光が、投射レンズ(20)を経て前方のスクリーンへ拡大投射される。
【００１４】
ランプユニット(４)
ランプユニット(４)は、図７に示す如く、ハウジング(41)内に超高圧水銀ランプ(５)を配備しており、該ランプ(５)の後方位置には、排気ファン(40)が設置されている。
超高圧水銀ランプ(５)は、リフレクター(51)と、リフレクター(51)の焦点位置に設けられた発光部(50)と、リフレクター(51)の開口を覆う透光プレート(53)とを具えており、透光プレート(53)の下端部には、リフレクター(51)の開口縁との間に、透光プレート(53)の幅方向に拡がる細長い空気導入口(52)が開設されると共に、透光プレート(53)の上端部には、リフレクター(51)の開口縁との間に、透光プレート(53)の幅方向に拡がる細長い空気導出口(54)が開設されている。尚、空気導入口(52)と空気導出口(54)はそれぞれ、ランプ(５)の発光部(50)に向かって傾斜した開口形状を有している。
【００１５】
ハウジング(41)の上壁には、図６に示す如く、ランプの光軸(前後方向)と直交する幅方向の一方の端部に、前後方向に伸びる細長い１本の第１吸気窓(45)が開設されると共に、幅方向の中央部に、前後方向に伸びる細長い複数本の第２吸気窓(46)が開設されている。又、ハウジング(41)の上壁には、光出射方向の端部に、幅方向に拡がる１本の第３吸気窓(49)が開設されている。
【００１６】
ハウジング(41)には、空気導入口(52)との対向部に、ダクト(47)を介してファンケース(42)が接続されており、該ファンケース(42)の内部には、送風ファン(44)が収容されている。該送風ファン(44)は、ダクト(47)の内部へ向けて開口する吐出口(48)と、下方へ向けて開口する吸気口(43)とを有し、該吸気口(43)は、図４に示す如く下半ケース(11)の底壁に開設された複数の吸気孔(16)と繋がることになる。
【００１７】
液晶プロジェクターに電源が投入されると、排気ファン(40)及び送風ファン(44)が回転を開始する。
排気ファン(40)が回転することにより、ハウジング(41)の第１吸気窓(45)、第２吸気窓(46)及び第３吸気窓(49)から空気が吸い込まれて、ランプ(５)の周囲を排気ファン(40)へ向かって流れる気流が発生し、該気流によってランプ(５)の外周面が冷却される。
【００１８】
ここで、ハウジング(41)の上壁には、第１吸気窓(45)によって左右非対称の開口パターンが付与されているため、ランプ(５)のリフレクター(51)の周囲には、ランプ(５)の光軸を中心として一方向に回転しながら、排気ファン(40)へ向かう気流が発生することになる。
【００１９】
例えば図８に示す如く、排気ファン(40)が時計方向に回転する場合、ハウジング(41b)の天井壁には、全体として右側に偏った位置に第１吸気窓(45)及び第３吸気窓(49)を開設して、全体として左右非対称の開口パターンを付与することにより、ランプ(５)を包囲して時計方向に回転する気流が発生し、該気流は、その回転を維持しながら排気ファン(40)を通過することとなる。
この結果、ランプ(５)の外周面全体において均一な熱伝達が行なわれることとなり、より少ない風量でランプ(５)を十分に冷却することが出来る。
【００２０】
これに対し、図９に示す如く、ハウジング(41a)の天井壁に左右対称に複数の第２吸気窓(46)が開設されている場合、ランプ(５)の周囲を回転する気流は殆ど発生せず、ランプ(５)の外周面の一部に偏った気流が発生する。
この結果、ランプ(５)の外周面における熱伝達が不十分となり、温度分布にも偏りが生じることになる。
【００２１】
図１０(ａ)は、天井壁の中央部に複数の第２吸気窓(46)が開設されたハウジング(41a)を示し、同図(ｂ)は、天井壁の端部を幅方向に伸びる第３吸気窓(49)と天井壁の側部を前後に伸びる第１吸気窓(45)とが開設されたハウジング(41b)を示し、同図(ｃ)は、上記の第１吸気窓(45)、第２吸気窓(46)及び第３吸気窓(49)の全てが開設されたハウジング(41c)を示しており、表１は、これらのハウジング(41a)(41b)(41c)を具えた３種類のランプユニットについて、ランプ外周面の温度分布を測定した結果を表わしている。
【００２２】
【表１】
0003711041.tif 000002
【００２３】
表１の結果から明らかな様に、全体として左右非対称の開口パターンを有するハウジング(41b)(41c)においては、左右対称の開口パターンを有するハウジング(41a)よりも、最高温度が低く抑えられると共に、最高温度と最低温度の差が小さく抑えられており、左右非対称の開口パターンを有するハウジングの効果が裏付けられる。
【００２４】
又、図６及び図７に示すランプユニット(４)においては、送風ファン(44)が回転することによって、下半ケース(11)の吸気孔(16)から送風ファン(44)の吸気口(43)を経て空気が吸い込まれると共に、吐出口(48)から空気が吐出され、吐出された空気は、ダクト(47)を経て、ランプ(５)の空気導入口(52)からリフレクター(51)の内側へ導入される。ここで、空気導入口(52)は発光部(50)へ向けて開設されているため、リフレクター(51)の内側に導入された空気は、発光部(50)に対して直接に吹き付けられる。又、リフレクター(51)の凹曲面に沿って気流が案内されることにより、発光部(50)を包囲する旋回流が発生する。
【００２５】
この結果、リフレクター(51)の内側へ導入された空気は、ランプ(５)の発光部(50)と高い熱伝達率で熱交換を行なって、発光部(50)を強制空冷した後、空気導出口(54)からリフレクター(51)の外側へ導出される。
空気導出口(54)からリフレクター(51)の外側へ導出された空気は、リフレクター(51)の周囲を流れる気流と合流して、排気ファン(40)へ向かって流れる。排気ファン(40)を通過した気流は、図１に示す前面パネル(13)の排気孔(15)から前方へ排出される。
【００２６】
上述の如く、ランプ(５)の内、最も高温となる発光部(50)が効率的に冷却されるので、排気ファン(40)や送風ファン(44)の風量を少なく設定することが可能であり、これによって、これらのファン(40)(44)から発生する騒音を大幅に低減させることが出来る。
【００２７】
又、本発明の液晶プロジェクターにおいては、ランプユニット(４)からの白色光の出射方向と、光学ユニット(２)からの映像光の投射方向とを、互いに１８０度異なる逆方向に設定した光学系の採用によって、ケーシング(１)の前面パネル(13)に投射窓(14)と排気孔(15)とを併設しているため、ランプユニット(４)に内蔵されているファンから発生する騒音は、スクリーンに向かって光投射方向に放出されることになる。これによって、液晶プロジェクターよりもスクリーンから離れた後方位置の視聴者には、ファンからの騒音が届き難くなる。
【００２８】
冷却ユニット(６)
図３及び図４に示す如く、光学ユニット(２)の下方位置には、光学ユニット(２)を冷却するために、冷却ユニット(６)が配置される。
冷却ユニット(６)は、図１１及び図１２に示す如く扁平なハウジング(60)を具えており、該ハウジング(60)の表面に開設した４つの空気吹出し口(63)(64)(65)(69)から上方の光学ユニット(２)の４つの発熱部へ向けて空気を吹き出すものである。
【００２９】
前記４つの空気吹出し口(63)(64)(65)(69)の内、図１６に示す３つの空気吹出し口(63)(64)(65)はそれぞれ、色合成装置(３)を構成する青用入射側偏光板(31)、青用液晶パネル(32)及び青用出射側偏光板(33)へ向けて開口する青用の空気吹出し口と、緑用入射側偏光板(34)、緑用液晶パネル(35)及び緑用出射側偏光板(36)へ向けて開口する緑用の空気吹出し口と、赤用入射側偏光板(37)、赤用液晶パネル(38)及び赤用出射側偏光板(39)へ向けて開口する赤用の空気吹出し口となっている。
又、図１２に示す残りの１つの空気吹出し口(69)は、図２に示す偏光ビームスプリッター(24)へ向けて開口する偏光ビームスプリッター(以下、ＰＢＳという)用の空気吹出し口となる。
【００３０】
冷却ユニット(６)のハウジング(60)は、図１４に示す如く本体(61)と蓋体(62)から構成され、蓋体(62)に、前述の４つの空気吹出し口(63)(64)(65)(69)が開設されている。ハウジング本体(61)には、第１〜第３の３つの冷却ファン(66)(67)(68)が一列に配備されており、これらの冷却ファン(66)(67)(68)から吐出される空気は、複数の仕切り壁によって形成された流路網(８)を経て分流され或いは合流して、後述の如く適切な流量の４つの流れとなり、４つの空気吹出し口(63)(64)(65)(69)から吹き出される。
【００３１】
即ち、色合成装置(３)を構成する各色用の入射側偏光板、液晶パネル及び出射側偏光板(以下、これら３枚を一組として偏光／液晶部という)の内、青用の偏光／液晶部の発熱量が最も大きいため、各冷却ファン(66)(67)(68)から吐出される気流を二分割し、分割された一方の気流をそれぞれ、緑用偏光／液晶部、赤用偏光／液晶部及びＰＢＳの冷却に割り当て、分割された他方の気流を全て青用の偏光／液晶部に割り当てるのである。
【００３２】
そこで、図１４及び図１５に示す如く、流路網(８)として、第１冷却ファン(66)から青用空気吹出し口(63)及びＰＢＳ用空気吹出し口(69)へ至る流路と、第２冷却ファン(67)から青用空気吹出し口(63)及び緑用空気吹出し口(64)へ至る流路と、第３冷却ファン(68)から青用空気吹出し口(63)及び赤用空気吹出し口(65)へ至る流路とを形成する。
【００３３】
ＰＢＳ用空気吹出し口(69)には、案内羽根(89)を取り付けて、第１冷却ファン(66)からの気流を偏光ビームスプリッター(24)の高温部、即ち光出射面の中央部へ高速で吹き付ける。
又、青用偏光／液晶部、緑用偏光／液晶部、及び赤用偏光／液晶部の冷却については、入射側と出射側に対する風量と風向を適切に調整するために、後述の如く気流案内面を形成する。
【００３４】
即ち、図１３に示す如く、青用空気吹出し口(63)には、第１〜第４仕切り壁(81)(82)(83)(84)を設置して、第１冷却ファン(66)からの気流を吹き出すべき第１空気吹出し部(91)と、第２冷却ファン(67)からの気流を吹き出すべき第２空気吹出し部(92)と、第３冷却ファン(68)からの気流を吹き出すべき第３空気吹出し部(93)とを形成する。又、第１仕切り壁(81)及び第３仕切り壁(83)にはそれぞれ気流案内面(図示省略)を形成して、第２冷却ファン(67)及び第３冷却ファン(68)から青用偏光／液晶部の入射側と出射側への気流の風向と風量を調整する。
緑用空気吹出し口(64)には、案内羽根(85)を設置して、その両側に２つの空気吹出し部(95)(96)を形成し、第２冷却ファン(67)から緑用偏光／液晶部の入射側と出射側への気流の風向と風量を調整する。
更に赤用空気吹出し口(65)には、第５仕切り壁(86)と案内羽根(87)を設置して、２つの空気吹出し部(97)(98)を形成し、第３冷却ファン(68)から赤用偏光／液晶部の入射側と出射側への気流の風向と風量を調整する。
【００３５】
図１６は、青用空気吹出し口(63)と青用偏光／液晶部の位置関係、緑用空気吹出し口(64)と緑用偏光／液晶部の位置関係、並びに、赤用空気吹出し口(65)と赤用偏光／液晶部の位置関係を表わしており、上述の如く風量及び風向の調節された気流が、各偏光／液晶部の入射側及び出射側へ吹き付けられて、効果的な冷却が行なわれる。
【００３６】
図１４に示す第１冷却ファン(66)、第２冷却ファン(67)及び第３冷却ファン(68)は、何れもケーシングの片面に吸い込み口を有する片吸い込み式のシロッコファンである。第１冷却ファン(66)及び第２冷却ファン(67)は、それぞれの吸い込み口(66a)(67a)を上方に向けた姿勢でハウジング本体(61)に設置されており、それぞれの吐出口(66b)(67b)は、流路網(８)の入口に向いている。又、第３冷却ファン(68)は、吸い込み口を下方に向けた姿勢でハウジング本体(61)に設置されており、吐出口(68b)は、流路網(８)の入口に向いている。
【００３７】
ハウジング本体(61)の背面には、図１４に示す如く第１冷却ファン(66)、第２冷却ファン(67)及び第３冷却ファン(68)に対応して、第１背面吸気窓(71)、第２背面吸気窓(72)及び第３背面吸気窓(73)が開設されている。又、ハウジング本体(61)の底面には、図１８に示す如く第３冷却ファン(68)に対応して、下面吸気窓(74)が開設されている。
【００３８】
図１７は、冷却ユニット(６)の第２冷却ファン(67)が設置された位置における断面構造を表わし、第１冷却ファン(66)が設置された位置における断面構造も同様である。又、図１８は、冷却ユニット(６)の第３冷却ファン(68)が設置された位置における断面構造を表わしている。
第１冷却ファン(66)及び第２冷却ファン(67)の上方には、蓋体(62)の上壁との間に、可及的に大きなスペースＳが設けられており、図１７中に矢印で示す様に、ハウジング本体(61)の背面吸気窓(71)(72)から吸い込まれた空気が該スペースを経て第１及び第２冷却ファン(66)(67)の吸い込み口(66a)(67a)へ流入する。又、第３冷却ファン(68)の下方には、ハウジング本体(61)の底壁との間に、可及的に大きなスペースＳが設けられており、図１８中に矢印で示す様に、ハウジング本体(61)の背面吸気窓(73)及び下面吸気窓(74)から吸い込まれた空気が該スペースを経て第３冷却ファン(68)の吸い込み口(68a)へ吸い込まれる。
【００３９】
尚、ハウジング本体(61)の３つの背面吸気窓(71)(72)(73)は、ケーシング(１)の背面に開設された吸気孔(図示省略)と繋がり、ハウジング本体(61)の下面吸気窓(74)は、ケーシング(１)の底壁に開設された吸気孔(図示省略)と繋がる。
【００４０】
上述の如く、各冷却ファン(66)(67)(68)の吸い込み口(66a)(67a)(68a)は何れも、ケーシング(１)の外部と繋がり、ケーシング(１)の内部とは、ハウジング(60)の壁面が仕切りとなって、繋がりがないので、各冷却ファン(66)(67)(68)には、専らケーシング(１)外部の低温の空気のみが吸い込まれ、ケーシング(１)内部の高温の空気が吸い込まれることはない。
この結果、光学ユニット(２)へ向けて低温の空気が吹き出されることとなり、少ない風量で光学ユニット(２)を十分に冷却することが出来る。
【００４１】
又、冷却ユニット(６)の各冷却ファン(66)(67)(68)として片吸い込み式のシロッコファンを採用し、吸い込み口(66a)(67a)(68a)が開設されたファン側面とハウジング(60)壁面との間に、十分な広さのスペースＳを設けているので、該スペースを経てファンに吸い込まれる空気の流動抵抗は低いものとなる。この結果、各冷却ファンとして、回転速度の低い低出力のシロッコファンを採用することが可能となる。
【００４２】
上記本発明の液晶プロジェクターによれば、ランプ(５)や光学ユニット(２)を冷却するための冷却系統の改善によって、従来よりも少ない風量で効果的な冷却を行なうことが出来るので、冷却空気を送り込むためのファンを低い回転速度で運転することが可能であり、これによって、ファンから発生する騒音を大幅に低減させることが出来る。
【図面の簡単な説明】
【図１】本発明に係る液晶プロジェクターの斜視図である。
【図２】該液晶プロジェクターに装備されているランプユニット及び光学ユニットの光学系の構成を示す図である。
【図３】該液晶プロジェクターの分解斜視図である。
【図４】該液晶プロジェクターにおいて、下半ケースからランプユニット、光学ユニット及び冷却ユニットを取り外した状態を示す斜視図である。
【図５】該液晶プロジェクターにおいて、下半ケースにランプユニット、光学ユニット及び冷却ユニットを組み込んだ状態を示す斜視図である。
【図６】ランプユニットの平面図である。
【図７】ランプユニットの断面図である。
【図８】左右非対称の開口パターンを有するランプユニットの一部破断斜視図である。
【図９】左右対称の開口パターンを有するランプユニットの一部破断斜視図である。
【図１０】開口パターンの異なる３種類のランプユニットの平面図である。
【図１１】冷却ユニット及び色合成装置の斜視図である。
【図１２】冷却ユニットの斜視図である。
【図１３】冷却ユニットの平面図である。
【図１４】冷却ユニットの分解斜視図である。
【図１５】冷却ユニットのハウジング本体の平面図である。
【図１６】冷却ユニットと光学ユニットの３つの偏光／液晶部との位置関係を示す平面図である。
【図１７】冷却ユニットの第２冷却ファンにおける断面図である。
【図１８】冷却ユニットの第３冷却ファンにおける断面図である。
【符号の説明】
(１)  ケーシング
(11)  下半ケース
(12)  上半ケース
(13)  前面パネル
(14)  投射窓
(15)  排気孔
(２)  光学ユニット
(３)  色合成装置
(４)  ランプユニット
(40)  排気ファン
(41)  ハウジング
(44)  送風ファン
(45)  第１吸気窓
(46)  第２吸気窓
(47)  ダクト
(５)  ランプ
(50)  発光部
(51)  リフレクター
(52)  空気導入口
(53)  透光プレート
(54)  空気導出口
(６)  冷却ユニット
(60)  ハウジング
(63)  青用空気吹出し口
(64)  緑用空気吹出し口
(65)  赤用空気吹出し口
(69)  ＰＢＳ用空気吹出し口
(66)  第１冷却ファン
(67)  第２冷却ファン
(68)  第３冷却ファン
(71)  第１背面吸気窓
(72)  第２背面吸気窓
(73)  第３背面吸気窓
(74)  下面吸気窓
(８)  流路網
【図１】
0003711041.tif 000003
【図２】
0003711041.tif 000004
【図３】
0003711041.tif 000005
【図４】
0003711041.tif 000006
【図５】
0003711041.tif 000007
【図６】
0003711041.tif 000008
【図７】
0003711041.tif 000009
【図８】
0003711041.tif 000010
【図９】
0003711041.tif 000011
【図１０】
0003711041.tif 000012
【図１１】
0003711041.tif 000013
【図１２】
0003711041.tif 000014
【図１３】
0003711041.tif 000015
【図１４】
0003711041.tif 000016
【図１５】
0003711041.tif 000017
【図１６】
0003711041.tif 000018
【図１７】
0003711041.tif 000019
【図１８】
0003711041.tif 000020